(57)【要約】【課題】男性であっても簡単に使用でき、且つ短時間で自然な仕上がり状態とすることが可能であり、更に汗等の水分によっても落ち難いフェイススプレーを提供する。【解決手段】所定色を有する耐水性微粒子を含有するファンデーション液と化粧水、及び加圧された噴射剤とが充填された金属製容器と、上記金属製容器に取り付けられ、上記混合液と上記噴射剤とをエアロゾルとして噴出するスプレーノズル部とを有する構成とする。【選択図】図１
0003146534.tif 000002
【実用新案登録請求の範囲】
【請求項１】
顔に直接噴霧するフェイススプレーであって、
所定色を有する耐水性微粒子を含有するファンデーション液、化粧水、及び加圧された噴射剤が充填された金属製容器と、
上記金属製容器に取り付けられ、上記ファンデーション液、化粧水、及び上記噴射剤をエアロゾルとして噴出するスプレーノズル部とを有することを特徴とするフェイススプレー。
【請求項２】
上記耐水性微粒子はシリコーンオイルによってコーティングされた着色剤粒子によって形成されていることを特徴とする請求項１記載のフェイススプレー。
【請求項３】
上記シリコーンオイルはキサンタンガム及びヘクトライトを含有することを特徴とする請求項２記載のフェイススプレー。
【考案の詳細な説明】
【技術分野】
【０００１】
本考案は、顔に直接噴霧して用いるフェイススプレーに関する。
【背景技術】
【０００２】
顔のシミ、そばかす及び傷跡等を被覆して、肌を滑らか且つ美しい外観にする目的で塗布する固形ファンデーションは従来から存在する。
顔に上記ファンデーションを塗布する場合は、まず化粧水、乳液等を肌に塗布して、ファンデーションをなじませ易い状態とした後に、パフ等によって固形若しくは液体のファンデーションを適量塗り延ばすという手順で行う必要があり、化粧に非常に長い時間を要し、且つ自然な仕上がり状態に仕上げるためには、一定の技量が必要であった。
また、肌に直接噴霧するスプレー式の液体ファンデーションは、均一にファンデーションを塗布することが可能であり、ファンデーションの塗布時間を短縮することが可能であるが、化粧水、乳液等の下地用化粧品が必要な点においては従来と同様であり、化粧時間全体の大きな短縮には至らなかった。
【０００３】
従来、女性においては、化粧が一般的であることから、長時間の化粧に対する抵抗も少なく、化粧の機会も多いことから技量も向上する。
しかしながら、男性においては化粧が一般的ではなく、また男性が化粧をする機会自体が少ないことから、長時間を要する化粧作業には大きな抵抗があり、また、自然な仕上がりとする技量を身に付けることも困難であった。
近年においては、男性の外見に対する意識が変化しており、就職活動等において、相手方への印象を向上させる目的で化粧を行うケースが増大してきているが、依然として化粧が公然と認められているとは言い難い状況である。
従って、男性が化粧をする場合は、女性と異なり、他人に目立つことなく、より簡単で、且つ短時間に自然な仕上がり状態にできることが求められている。
また、上記要望に加え、男性は女性と比較して汗をかきやすい環境に居る場合が多く、汗の水分によって化粧が落ち易いため、より水分に強いファンデーションであることも要求される。
上記のような状況であるにも関わらず、現在までにおいて、男性の使用に適したフェイススプレーは提供されていなかった。
【考案の開示】
【考案が解決しようとする課題】
【０００４】
本考案の課題は、男性であっても簡単に使用でき、且つ短時間で自然な仕上がり状態とすることが可能であり、更に汗等の水分によっても落ち難いフェイススプレーを提供することにある。
【課題を解決するための手段】
【０００５】
上記課題を解決するために、請求項１記載のフェイススプレーにあっては、顔に直接噴霧するフェイススプレーであって、所定色を有する耐水性微粒子を含有するファンデーション液、化粧水、及び加圧された噴射剤が充填された金属製容器と、上記金属製容器に取り付けられ、上記ファンデーション液、化粧水、及び上記噴射剤とをエアロゾルとして噴出するスプレーノズル部とを有することを特徴とする。
【０００６】
従って、下地となる化粧水と、ファンデーション液が同時に噴霧されることでファンデーション液が肌になじみ易く、また噴霧式のため、噴霧後に手の平等を用いて軽くなじませるだけで、迅速且つ均一にファンデーション液を塗布することができる。
また、塗布されたファンデーション液の微粒子は耐水性を有していることから、汗等の水分に溶解し難い。
【０００７】
また請求項２記載のフェイススプレーにあっては、上記耐水性微粒子はシリコーンオイルによってコーティングされた着色剤粒子によって形成されていることを特徴とする。
【０００８】
従って、シリコーンオイルによって、汗等の水分と着色料粒子が直接接触せず、着色剤粒子が汗等の水分に溶解することがない。
【０００９】
また、請求項３記載のフェイススプレーにあっては、上記シリコーンオイルはキサンタンガム及びヘクトライトを含有することを特徴とする。
【００１０】
従って、キサンタンガム及びヘクトライトが有する性質により、ファンデーション液の粘度が増大し、使用後に、よりしっとり感を感じることができると共に、ファンデーション液の微粒子がより肌に沈着し易くなる。
【考案の効果】
【００１１】
請求項１に記載のフェイススプレーにあっては、所定色を有する耐水性微粒子を含有するファンデーション液、化粧水、及び加圧された噴射剤が充填された金属製容器と、上記金属製容器に取り付けられ、上記ファンデーション液、化粧水、及び上記噴射剤とをエアロゾルとして噴出するスプレーノズル部とを有することから、男性であっても簡単に使用することが可能である。
また、下地用化粧品が不要であることから化粧時間が短時間で済み、かつ噴霧式のため、パフ等によって塗り延ばしをしなくても自然な仕上がり状態とすることが可能であり、更に、ファンデーション液が耐水性微粒子を含有していることから、汗等の水分によっても落ち難いフェイススプレーを提供することができる。
【００１２】
また、請求項２に記載のフェイススプレーにあっては、耐水性微粒子はシリコーンオイルによってコーティングされた着色剤粒子によって形成されていることから、請求項１の効果に加え、汗等の水分が直接着色剤粒子に触れないため、色落ちがより少なくなる。
【００１３】
また、請求項３記載のフェイススプレーにあっては、上記シリコーンオイルはキサンタンガム及びヘクトライトを含有するから、請求項２の効果に加え、ファンデーション液の粘性が増し、より肌になじみ易く、しっとり感を得ることが可能となる。
【考案を実施するための最良の形態】
【００１４】
以下、本考案の実施の形態について図面を用いて説明する。
図１に示すように、本実施例に係るフェイススプレー１０は、所定色を有する耐水性微粒子１１を含有するファンデーション液１２、化粧水１３、及び加圧された噴射剤１４が充填された金属製容器１５と、上記金属製容器１５に取り付けられ、上記ファンデーション液１２、化粧水１３、及び上記噴射剤１４とをエアロゾル１６として噴出するスプレーノズル部１７とを有している。
また、図２に示すように、上記耐水性微粒子１１はシリコーンオイル１８によってコーティングされた着色剤粒子１９によって形成され、上記シリコーンオイル１８はキサンタンガム２０及びヘクトライト２１を含有している。
【実施例】
【００１５】
上記形態における、本考案の実施例につき、図表を用いて以下詳述する。
図１は、本実施例に係るフェイススプレー１０の使用方法を示す概念図である。
金属製容器１５は細長の円筒状に形成され、先端部２２にスプレーノズル１７が取り付けられている。
上記金属製容器１５の内部には、上記ファンデーション液１２と化粧水１３が混合された状態で充填され、更に高圧窒素ガスからなる噴射剤１４が上記ファンデーション液１２と化粧水１３の混合物と共に封入されている。
【００１６】
上記ファンデーション液１２の組成、及び各成分の配合目的と効果を表１に示す。また、化粧水１３の組成、及び各成分の配合目的と効果を表２に示す。
【００１７】
【表１】
0003146534.tif 000003
【表２】
0003146534.tif 000004
【００１８】
図２は、本実施例にかかるフェイススプレー１０のファンデーション液１２に含有される微粒子１１の構成を示す概念図である。
図２及び表１に示すように、耐水性微粒子１１は、酸化鉄、酸化チタン等からなる着色剤粒子１９と上記着色剤粒子１９の表面をコーティングするジメチコンからなるシリコーンオイル１８とから形成されている。
上記シリコーンオイル１８には、増粘剤として機能するキサンタンガム２０及びヘクトライト２１が配合されている。
また、ファンデーション液１２（図２には図示せず）には、上記耐水性微粒子１１の他に、皮膚コンディショニング剤としてスクワラン、シア油等の油脂成分、アルニカエキス、キュウリエキス、セイヨウキズタエキス、ゼニアオイ/エキス、パリエアリタエキス、アロエベラエキスからなる植物エキス、保湿剤としてブチレングリコール（ＢＧ）、グリセリン、保潤剤としてのコラーゲン、及び肌の老化防止を目的とする皮ふ活性剤としてのコエンザイムＱ１０（表示成分名：ユビキノン）が配合されている。
また、表２に示すように、図１に示す本実施例にかかるフェイススプレー１０の化粧水１３には、保湿剤として機能する、グリセリン、ヒアルロン酸Ｎａ、ブチレングリコールからなる多糖類、ワイルドタイムエキス、オタネニンジンエキス、マヨラナ葉エキスからなる植物エキスが配合されている。
【００１９】
本実施例に係るフェイススプレー１０の使用方法について図面を用いて説明する。
図１に示すように、本実施例にかかるフェイススプレー１０を使用する場合は、スプレー本体である金属製容器１５を手で把持し、スプレーノズル部１７を顔２４から約２０ｃｍ程度離間させ、上記スプレーノズル部１７を指等で押下げることによって、上記スプレーノズル部１７の噴出口２３からファンデーション液１２、化粧水１３が、窒素ガスである噴射剤１４と共にエアロゾル１６となって噴出する。
上記エアロゾル１６の噴出中に、上記金属製容器１５を把持したまま、手を円を描くように移動させ、顔２４全体に上記エアロゾル１６が噴霧されるようにする。
所定時間噴霧した後、手の平等を用いて、顔２４に塗布されたファンデーション液１４をなじませることで、ファンデーション液１４の塗布が完了する。
【００２０】
図１に示すように、本実施例にかかるフェイススプレー１０によれば、ファンデーション液１２はエアロゾル１６の状態で化粧水１３と共に顔２４に噴霧されるため、顔２４全体に均一に塗布され、後からパフ等によって塗り延ばす必要が無く、また予め化粧水等の下地化粧品を用いる必要も無いことから、男性であっても簡単に使用でき、且つ短時間で自然な仕上がり状態とすることが可能である。
また、着色剤粒子１９がリコーンオイル１８によってコーティングされていることから、塗布されたファンデーション液１２が、汗等の水分に触れ難く、落ち難いという利点を有する。
更に、上記シリコーンオイル１８は、増粘剤としてのキサンタンガム２０とヘクトライト２１を含有していることから、上記ファンデーション液１２の粘度が上昇し、より肌に付着し易くなる。
【００２１】
なお、図２は耐水性微粒子１１の構造を示す概念図であるため、上記耐水性微粒子１１、シリコーンオイル１８、着色剤粒子１９、キサンタンガム２０、ヘクトライト２１の各粒子の形状、大きさ等は実際の形状・大きさとは異なる。
また、表１及び表２に示す、ファンデーション液１２及び化粧水１３は、必要に応じて、組成比の変更、組成物質の増減を適宜行っても、本実施例と同様の作用・効果を得ることが可能である。
【産業上の利用可能性】
【００２２】
本考案は、顔に直接噴霧して用いるフェイススプレーに適用が可能である。
【図面の簡単な説明】
【００２３】
【図１】本考案に係るフェイススプレーの一実施の形態を示し、実施例の形態のフェイススプレーの使用方法を示す概念図である。
【図２】本考案に係るフェイススプレーの一実施の形態を示し、実施例の形態における、ファンデーション液の耐水性微粒子の構造を示す概念図である。
【符号の説明】
【００２４】
１０  フェイススプレー
１１  耐水性微粒子
１２  ファンデーション液
１３  化粧水
１４  噴射剤
１５  金属製容器
１６  エアロゾル
１７  スプレーノズル部
１８  シリコーンオイル
１９  着色剤粒子
２０  キサンタンガム
２１  ヘクトライト
２２  金属製容器の先端部
２３  スプレーノズル部の噴出口
２４  顔
【図１】
0003146534.tif 000005
【図２】
0003146534.tif 000006